(57)【要約】【課題】ＰＳＤマスクを自動的に設定可能なＦＴＴＲ装置及びＰＳＤマスク選択方法を提供すること。【解決手段】本発明にかかるＦＴＴＲ装置２は、ＦＴＴＲシステムにおいて用いられ、電話線６を介してモデム装置３と接続され、かつ光ファイバ５を介して収容局１と接続されている。まず、電話線６を介してモデム装置３に対して信号出力強度を指定する信号出力強度情報を含むリンクトライ信号を送信し、モデム装置３より当該リンクトライ信号により指定された信号出力強度に応じて送信された応答信号を受信することによってリンクトライ処理を実行する。次に、正常に受信された応答信号に基づいて伝送損失を測定する。そして、測定された伝送損失に基づいてモデム装置３で用いられるＰＳＤマスクを選択する。【選択図】図２
2009171451.tif 000002
【特許請求の範囲】
【請求項１】
ＦＴＴＲシステムにおいて用いられ、電話線を介してモデム装置と接続され、かつ光ファイバを介して収容局と接続されたＦＴＴＲ装置であって、
前記電話線を介して前記モデム装置に対して信号出力強度を指定する信号出力強度情報を含むリンクトライ信号を送信し、前記モデム装置より当該リンクトライ信号により指定された信号出力強度に応じて送信された応答信号を受信することによってリンクトライ処理を実行するリンクトライ実行手段と、
正常に受信された応答信号に基づいて伝送損失を測定する伝送損失測定手段と、
測定された伝送損失に基づいて前記モデム装置で用いられるＰＳＤマスクを選択するＰＳＤマスク選択手段とを備えたＦＴＴＲ装置。
【請求項２】
前記リンクトライ実行手段は、予め定められた信号出力強度によってリンクトライ処理を実行した結果、リンクの確立に失敗した場合には、この信号出力強度よりも高い信号出力強度によって再度リンクトライ処理を実行し、リンクが確立したときにリンクトライ処理を終了する請求項１記載のＦＴＴＲ装置。
【請求項３】
ＦＴＴＲシステムにおいて用いられ、電話線を介してモデム装置と接続され、かつ光ファイバを介して収容局と接続されたＦＴＴＲ装置であって、
前記電話線を介して前記モデム装置に対してＰＳＤマスクを指定する情報を含むリンクトライ信号を送信し、前記モデム装置よりリンクトライ信号により指定されたＰＳＤマスクに従って送信された応答信号を受信することによって実行するリンクトライ処理を、指定するＰＳＤマスクを変更しながら複数回に亘って実行するリンクトライ実行手段と、
正常に受信された応答信号に基づいて伝送損失を測定する伝送損失測定手段と、
測定された伝送損失に基づいて前記モデム装置で用いられるＰＳＤマスクを選択するＰＳＤマスク選択手段とを備え、
前記リンクトライ実行手段は、ＰＳＤマスク選択手段によって選択可能なＰＳＤマスクの数よりも少ない数のＰＳＤマスクによって当該リンクトライ処理を実行するＦＴＴＲ装置。
【請求項４】
前記リンクトライ実行手段は、予め定められたＰＳＤマスクによってリンクトライ処理を実行した結果、リンクの確立に失敗した場合には、このＰＳＤマスクよりも長い距離のＰＳＤマスクによって再度リンクトライ処理を実行し、リンクが確立したときにリンクトライ処理を終了する請求項３記載のＦＴＴＲ装置。
【請求項５】
前記ＰＳＤマスク選択手段は、前記測定された伝送損失に基づいて当該モデム装置と前記ＦＴＴＲ装置間の線路長を算出し、当該線路長に応じてＰＳＤマスクを選択することを特徴とする請求項１〜４いずれかに記載のＦＴＴＲ装置。
【請求項６】
前記リンクトライ実行手段は、前記伝送損失測定手段によって伝送損失を測定した後、前記ＰＳＤマスク選択手段によって選択されたＰＳＤマスクを用いてリンクが確立する前にリンクを切断することを特徴とする請求項１〜５いずれかに記載のＦＴＴＲ装置。
【請求項７】
前記リンクトライ実行手段は、過去にリンクが確立してＰＳＤマスクが設定されている場合には、その設定されたＰＳＤマスクに基づきリンクトライ処理を開始することを特徴とする請求項１〜６いずれかに記載のＦＴＴＲ装置。
【請求項８】
前記リンクトライ実行手段は、予め定められた回数だけ、毎回、信号出力強度を増加させてリンクトライ処理を実行することを特徴とする請求項７記載のＦＴＴＲ装置。
【請求項９】
前記モデム装置から受信したトレーニングシーケンス信号に基づいて、前記リンクトライ実行手段において前記モデム装置に対して指定する信号出力強度又はＰＳＤマスクの候補を決定することを特徴とする請求項１〜８いずれかに記載のＦＴＴＲ装置。
【請求項１０】
ＦＴＴＲ装置に対して電話線を介してＦＴＴＲ伝送する場合にモデム装置において用いられるＰＳＤマスクを選択する方法であって、
指定された信号出力強度に応じて前記モデム装置より送信された応答信号を受信することによってリンクトライ処理を実行するリンクトライ実行ステップと、
正常に受信された応答信号に基づいて伝送損失を測定する伝送損失測定ステップと、
測定された伝送損失に基づいてＰＳＤマスクを選択するＰＳＤマスク選択ステップとを備えたＰＳＤマスク選択方法。
【請求項１１】
前記リンクトライ実行ステップは、予め定められた信号出力強度によってリンクトライ処理を実行した結果、リンクの確立に失敗した場合には、この信号出力強度よりも高い信号出力強度によって再度リンクトライ処理を実行し、リンクが確立したときにリンクトライ処理を終了する請求項１０記載のＰＳＤマスク選択方法。
【請求項１２】
ＦＴＴＲ装置に対して電話線を介してＦＴＴＲ伝送する場合にモデム装置において用いられるＰＳＤマスクを選択する方法であって、
指定されたＰＳＤマスクに従って前記モデム装置より送信された応答信号を受信することによって実行するリンクトライ処理を、指定するＰＳＤマスクを変更しながら複数回に亘って実行するリンクトライ実行ステップと、
正常に受信された応答信号に基づいて伝送損失を測定する伝送損失測定ステップと、
測定された伝送損失に基づいてＰＳＤマスクを選択するＰＳＤマスク選択ステップとを備え、
前記リンクトライ実行ステップでは、ＰＳＤマスク選択ステップによって選択可能なＰＳＤマスクの数よりも少ない数のＰＳＤマスクによって当該リンクトライ処理を実行するＰＳＤマスク選択方法。
【請求項１３】
前記リンクトライ実行ステップは、予め定められたＰＳＤマスクによってリンクトライ処理を実行した結果、リンクの確立に失敗した場合には、このＰＳＤマスクよりも長い距離のＰＳＤマスクによって再度リンクトライ処理を実行し、リンクが確立したときにリンクトライ処理を終了する請求項１２記載のＰＳＤマスク選択方法。
【請求項１４】
前記ＰＳＤマスク選択ステップは、前記測定された伝送損失に基づいて当該モデム装置と前記ＦＴＴＲ装置間の線路長を算出し、当該線路長に応じてＰＳＤマスクを選択することを特徴とする請求項１０〜１３いずれかに記載のＰＳＤマスク選択方法。
【請求項１５】
前記リンクトライ実行ステップは、前記伝送損失測定ステップにおいて伝送損失を測定した後、前記ＰＳＤマスク選択ステップによって選択されたＰＳＤマスクを用いてリンクが確立する前にリンクを切断することを特徴とする請求項１０〜１４いずれかに記載のＰＳＤマスク選択方法。
【請求項１６】
前記リンクトライ実行ステップは、過去にリンクが確立してＰＳＤマスクが設定されている場合には、その設定されたＰＳＤマスクに基づきリンクトライ処理を開始することを特徴とする請求項１０〜１５いずれかに記載のＰＳＤマスク選択方法。
【請求項１７】
前記リンクトライ実行ステップは、予め定められた回数だけ、毎回、信号出力強度を増加させてリンクトライ処理を実行することを特徴とする請求項１６記載のＰＳＤマスク選択方法。
【請求項１８】
前記モデム装置から受信したトレーニングシーケンス信号に基づいて、前記リンクトライ実行ステップにおいて前記モデム装置に対して指定する信号出力強度又はＰＳＤマスクの候補を決定することを特徴とする請求項１０〜１７いずれかに記載のＰＳＤマスク選択方法。
【発明の詳細な説明】
【技術分野】
【０００１】
本発明は、ＦＴＴＲ装置及びＰＳＤマスク選択方法に関し、特に、いわゆるＦＴＴＲ（Fiber To The Remote）を用いた伝送のためのモデム装置における送信電力制御技術に関する。
【背景技術】
【０００２】
近年、ＡＤＳＬ、ＶＤＳＬやＳＤＳＬ等を含むｘＤＳＬ（Digital Subscriber Line）伝送や、ＦＴＴＨ（Fiber To The Home）と並ぶアクセス回線技術として、ＦＴＴＲの開発が進んでいる。ＦＴＴＲは、電話局（収容局）から、ユーザ宅までの区間の途中に設置されるＦＴＴＲ装置まで光ファイバを、残りは電話線（即ち、メタリック線路）を使ってデータを伝送するというアクセス回線技術である。
【０００３】
他方、通信事業者がメタリック加入者回線（電話回線）の同一ケーブル上で、複数種類の伝送システムが共存できるよう、伝送システム相互間の干渉許容範囲を定めることにより、合理的なスペクトルの利用環境を保証するとともにメタリック加入者回線を有効に利用することを目的として、社団法人情報通信技術委員会（ＴＴＣ）においてＪＪ１００．０１スペクトル管理標準が定められている。ＴＴＣ  ＪＪ１００．０１スペクトル管理標準第３版までは、収容局からユーザ宅まで既存のメタリック線路を適用する形態、すなわち、局設置型のｘＤＳＬ伝送を前提とした相互干渉許容範囲を規定している。したがって、遠隔設置型であるＦＴＴＲのスペクトル管理方法については、ＴＴＣ  ＪＪ１００．０１スペクトル管理標準第３版では不十分であり、新たに検討する必要があった。
【０００４】
ＦＴＴＲのスペクトル管理基準を新たに制定するにあたって、最も大きな課題は、ｘＤＳＬとＦＴＴＲの双方が同一のケーブルユニット内、又は同一カッド内に混在収容され、同一の電話回線を利用する場合に、双方のメタリック線路の距離差等によって、ケーブル上の同一位置において、下り方向に対する送信信号の信号レベル間に差が生じ、レベルの高い方が与干渉側、レベルの低い方が被干渉側となって遠端漏話が発生することであった。このような課題を解決するために各事業者にて１年に及ぶ検証や議論の結果、ＴＴＣ  ＪＪ１００．０１スペクトル管理標準第４版が制定された。
【０００５】
ＴＴＣ  ＪＪ１００．０１スペクトル管理標準第４版では、ＦＴＴＲのスペクトル管理として、予め保護対象とする既存のｘＤＳＬ等のシステムを、各事業者の合意の下で設定し、それらの保護対象システムの相互干渉時における最悪値をＦＴＴＲシステムの導入判定基準値として規定した。そして、ＦＴＴＲシステムのＰＳＤ（Power Spectral Density）マスクが、下りについては収容局からＦＴＴＲ装置までの距離ｒについて０から５０００ｍまで２５０ｍ毎に設定し、上りについてはＦＴＴＲ装置からモデム装置までの距離ｄｒについて０から１０００ｍまで５０ｍ毎に設定された。ここで、ＰＳＤマスクとは、特定周波数帯域における送信電力の制限を規定したＦＴＴＲ装置のために、周波数f(kHz)とＰＳＤ(dBm/Hz)で規定された測定値の総称をいう。
【０００６】
図８は下り側のＰＳＤマスクと線路長ｒを関係を示す表であり、図９は上り側のＰＳＤマスクと線路長ｄｒを関係を示す表である。これらのＰＳＤマスクのそれぞれについて、周波数帯域に応じた送信電力の制限が定められている。
【０００７】
このように、ＦＴＴＲシステムのＰＳＤマスクは、上り、下りがそれぞれ２０通りあるので、その組み合わせは、２０×２０＝４００通りとなる。新たにＦＴＴＲシステムを設置する場合には、収容局からＦＴＴＲ装置までの距離ｒと、ＦＴＴＲ装置からモデム装置までの距離ｄｒのそれぞれに応じて、ＰＳＤマスクが選択される。これによって、ＦＴＴＲ伝送がその他の伝送に対して与える干渉を規定内に収めることができる。
【０００８】
他方、加入者の線路距離を伝送損失によって推定する技術が提案されている（特許文献１）。また、ｘＤＳＬモデム装置の制御方法として、電源投入後にトレーニングを行い、これにより回線プロファイルを決定する技術が提案されている（特許文献２）。これらの特許文献１、２はいずれもＦＴＴＲシステムに関する技術を提案するものではない。
【特許文献１】特開２００４−３１２３８２号公報
【特許文献２】特開２００５−２３６８５４号公報
【発明の開示】
【発明が解決しようとする課題】
【０００９】
上述のように、新たにＦＴＴＲシステムを設置する場合には、ＦＴＴＲ装置からモデム装置までの距離ｄｒ等に応じてＰＳＤマスクを選択する必要がある。しかしながら、ＦＴＴＲ装置からモデム装置までの距離ｄｒのデータを取得することは容易ではない。
【００１０】
本発明は、以上のような課題を解決するためになされたものであり、ＰＳＤマスクを自動的に設定可能なＦＴＴＲ装置及びＰＳＤマスク選択方法を提供することを目的とする。
【課題を解決するための手段】
【００１１】
本発明にかかるＦＴＴＲ装置は、ＦＴＴＲシステムにおいて用いられ、電話線を介してモデム装置と接続され、かつ光ファイバを介して収容局と接続されたＦＴＴＲ装置であって、前記電話線を介して前記モデム装置に対して信号出力強度を指定する信号出力強度情報を含むリンクトライ信号を送信し、前記モデム装置より当該リンクトライ信号により指定された信号出力強度に応じて送信された応答信号を受信することによってリンクトライ処理を実行するリンクトライ実行手段と、正常に受信された応答信号に基づいて伝送損失を測定する伝送損失測定手段と、測定された伝送損失に基づいて前記モデム装置で用いられるＰＳＤマスクを選択するＰＳＤマスク選択手段とを備えたものである。
【００１２】
ここで、前記リンクトライ実行手段は、予め定められた信号出力強度によってリンクトライ処理を実行した結果、リンクの確立に失敗した場合には、この信号出力強度よりも高い信号出力強度によって再度リンクトライ処理を実行し、リンクが確立したときにリンクトライ処理を終了するものである。
【００１３】
本発明にかかる他の観点によるＦＴＴＲ装置は、ＦＴＴＲシステムにおいて用いられ、電話線を介してモデム装置と接続され、かつ光ファイバを介して収容局と接続されたＦＴＴＲ装置であって、前記電話線を介して前記モデム装置に対してＰＳＤマスクを指定する情報を含むリンクトライ信号を送信し、前記モデム装置よりリンクトライ信号により指定されたＰＳＤマスクに従って送信された応答信号を受信することによって実行するリンクトライ処理を、指定するＰＳＤマスクを変更しながら複数回に亘って実行するリンクトライ実行手段と、正常に受信された応答信号に基づいて伝送損失を測定する伝送損失測定手段と、測定された伝送損失に基づいて前記モデム装置で用いられるＰＳＤマスクを選択するＰＳＤマスク選択手段とを備え、前記リンクトライ実行手段は、ＰＳＤマスク選択手段によって選択可能なＰＳＤマスクの数よりも少ない数のＰＳＤマスクによって当該リンクトライ処理を実行するものである。
【００１４】
ここで、前記リンクトライ実行手段は、予め定められたＰＳＤマスクによってリンクトライ処理を実行した結果、リンクの確立に失敗した場合には、このＰＳＤマスクよりも長い距離のＰＳＤマスクによって再度リンクトライ処理を実行し、リンクが確立したときにリンクトライ処理を終了するようにしてもよい。
【００１５】
また、前記ＰＳＤマスク選択手段は、前記測定された伝送損失に基づいて当該モデム装置と前記ＦＴＴＲ装置間の線路長を算出し、当該線路長に応じてＰＳＤマスクを選択することが望ましい。
【００１６】
また、前記リンクトライ実行手段は、前記伝送損失測定手段によって伝送損失を測定した後、前記ＰＳＤマスク選択手段によって選択されたＰＳＤマスクを用いてリンクが確立する前にリンクを切断するようにしてもよい。
【００１７】
さらに、前記リンクトライ実行手段は、過去にリンクが確立してＰＳＤマスクが設定されている場合には、その設定されたＰＳＤマスクに基づきリンクトライ処理を開始することが望ましい。
【００１８】
また、前記リンクトライ実行手段は、予め定められた回数だけ、毎回、信号出力強度を増加させてリンクトライ処理を実行することが望ましい。
【００１９】
前記モデム装置から受信したトレーニングシーケンス信号に基づいて、前記リンクトライ実行手段において前記モデム装置に対して指定する信号出力強度又はＰＳＤマスクの候補を決定するようにしてもよい。
【００２０】
本発明にかかるＰＳＤマスクの選択方法は、ＦＴＴＲ装置に対して電話線を介してＦＴＴＲ伝送する場合にモデム装置において用いられるＰＳＤマスクを選択する方法であって、指定された信号出力強度に応じて前記モデム装置より送信された応答信号を受信することによってリンクトライ処理を実行するリンクトライ実行ステップと、正常に受信された応答信号に基づいて伝送損失を測定する伝送損失測定ステップと、測定された伝送損失に基づいてＰＳＤマスクを選択するＰＳＤマスク選択ステップとを備えたものである。
【００２１】
ここで、前記リンクトライ実行ステップは、予め定められた信号出力強度によってリンクトライ処理を実行した結果、リンクの確立に失敗した場合には、この信号出力強度よりも高い信号出力強度によって再度リンクトライ処理を実行し、リンクが確立したときにリンクトライ処理を終了するようにしてもよい。
【００２２】
本発明の他の観点によるＰＳＤマスクの選択方法は、ＦＴＴＲ装置に対して電話線を介してＦＴＴＲ伝送する場合にモデム装置において用いられるＰＳＤマスクを選択する方法であって、指定されたＰＳＤマスクに従って前記モデム装置より送信された応答信号を受信することによって実行するリンクトライ処理を、指定するＰＳＤマスクを変更しながら複数回に亘って実行するリンクトライ実行ステップと、正常に受信された応答信号に基づいて伝送損失を測定する伝送損失測定ステップと、測定された伝送損失に基づいてＰＳＤマスクを選択するＰＳＤマスク選択ステップとを備え、前記リンクトライ実行ステップでは、ＰＳＤマスク選択ステップによって選択可能なＰＳＤマスクの数よりも少ない数のＰＳＤマスクによって当該リンクトライ処理を実行するものである。
【００２３】
ここで、前記リンクトライ実行ステップは、予め定められたＰＳＤマスクによってリンクトライ処理を実行した結果、リンクの確立に失敗した場合には、このＰＳＤマスクよりも長い距離のＰＳＤマスクによって再度リンクトライ処理を実行し、リンクが確立したときにリンクトライ処理を終了することが望ましい。
【００２４】
また、前記ＰＳＤマスク選択ステップは、前記測定された伝送損失に基づいて当該モデム装置と前記ＦＴＴＲ装置間の線路長を算出し、当該線路長に応じてＰＳＤマスクを選択することが好ましい。
【００２５】
さらに、前記リンクトライ実行ステップは、前記伝送損失測定ステップにおいて伝送損失を測定した後、前記ＰＳＤマスク選択ステップによって選択されたＰＳＤマスクを用いてリンクが確立する前にリンクを切断することが望ましい。
【００２６】
また、前記リンクトライ実行ステップは、過去にリンクが確立してＰＳＤマスクが設定されている場合には、その設定されたＰＳＤマスクに基づきリンクトライ処理を開始することが好ましい。
【００２７】
また、前記リンクトライ実行ステップは、予め定められた回数だけ、毎回、信号出力強度を増加させてリンクトライ処理を実行することが望ましい。
さらに、前記モデム装置から受信したトレーニングシーケンス信号に基づいて、前記リンクトライ実行ステップにおいて前記モデム装置に対して指定する信号出力強度又はＰＳＤマスクの候補を決定するようにしてもよい。
【発明の効果】
【００２８】
本発明により、ＰＳＤマスクを自動的に設定可能なＦＴＴＲ装置及びＰＳＤマスク選択方法を提供できる。
【発明を実施するための最良の形態】
【００２９】
以下では、本発明を適用した具体的な実施の形態について、図面を参照しながら詳細に説明する。各図面において、同一要素には同一の符号が付されており、説明の明確化のため、必要に応じて重複説明は省略される。
【００３０】
最初に、図１を本発明の実施の形態にかかるＦＴＴＲ装置を含むＦＴＴＲシステムの構成について説明する。図に示されるように、当該ＦＴＴＲシステムは、収容局１、ＦＴＴＲ装置２、モデム装置３、端末４を備えている。収容局１とＦＴＴＲ装置２は、光ファイバ５により接続されている。ＦＴＴＲ装置２とモデム装置３とは、メタリック線路より構成された電話線６により接続されている。当該電話線６は、ｘＤＳＬシステムにおいて伝送路として用いられる場合があるため、ｘＤＳＬシステムとＦＴＴＲシステム間で干渉が発生しうる。本発明はこの干渉を可能な限り抑制しようとしている。モデム装置３と端末４は、ＬＡＮケーブルや無線等の伝送路７により接続されている。
【００３１】
収容局１は、電話局であり、図示していないが、端末４と、その通信相手である端末やサーバとの間で通信を行うために、インターネット網等の通信網と接続されている。ＦＴＴＲ装置２は、通常、ユーザ宅の近傍にある電柱等に設置されている。ＦＴＴＲ装置２は、収容局１とモデム装置３間の通信を中継する機能を備えている他、本実施の形態においては、各モデム装置３が用いるＰＳＤマスクを選択するための手段を備えている。モデム装置３は、ユーザ宅に設置され、端末４による通信を実現を実現するために、変復調処理等の機能を有している。本実施の形態にかかるモデム装置３は、ＦＴＴＲ装置２との間で、ＶＤＳＬリンクを確立して、相互に通信を行う。
【００３２】
ＦＴＴＲ装置２の構成例を図２に示す。ＦＴＴＲ装置２は、光ファイバ５と接続するための光ファイバ接続端子２１１と、電話線６と接続するための電話線接続端子２１２が設けられている。
【００３３】
そして、これらの光ファイバ接続端子２１１と、電話線接続端子２１２と内部配線により接続された信号処理部２１が設けられている。信号処理部２１は、収容局１とモデム装置３間の通信を中継するための各種処理を行う。
【００３４】
この信号処理部２１と接続されて、制御部２２が設けられている。制御部２２は、ＣＰＵ、ＲＯＭ、ＲＡＭ、スイッチングチップ、ＶＤＳＬ変復調回路等により構成されており、各種の制御プログラムに基づいて、ＦＴＴＲ装置２として必要とされる機能を実行する。それらの機能の一つに、後に詳述するＰＳＤマスクの自動設定機能がある。
【００３５】
この制御部２２と接続されて、記憶部２３が設けられている。記憶部２３は、ＲＡＭ、フラッシュメモリ等のメモリにより構成されている。記憶部２３は、例えば、リンクトライ処理によって測定された伝送路損失に関する情報を記憶する伝送路損失情報記憶部２３１、伝送路損失情報に基づき決定された線路長情報を記憶する線路長情報記憶部２３２、線路長情報に基づいて選択されたＰＳＤマスクに関する情報を記憶するＰＳＤマスク設定情報記憶部２３３を備えている。
【００３６】
ＦＴＴＲ装置２には、さらに伝送損失測定部２４が設けられている。伝送損失測定部２４は、ＰＳＤマスク、即ち信号出力強度を指定するリンクトライ信号をモデム装置３に対して送信した場合に、これに対する応答としてモデム装置３より信号処理部２１を介して受信した応答信号の信号強度を検出して、伝送損失を測定する。伝送損失測定部２４によって測定された伝送損失に関する情報は、制御部２２によって記憶部２３の伝送路損失情報記憶部２３１に格納される。
【００３７】
続いて、図３に示すフローチャートを用いて、モデム装置３とＦＴＴＲ装置２との間でＶＤＳＬリンクを確立するための処理の流れについて説明する。まず、新規にモデム装置３を電話線６及びＬＡＮケーブル７に接続する（Ｓ１０１）。
【００３８】
モデム装置３は、電話線６及びＬＡＮケーブル７への接続を検出するか又はユーザによる操作を検出して、トレーニングシーケンス信号をＦＴＴＲ装置２に対して送信する。ＦＴＴＲ装置２は、トレーニングシーケンス信号を受信するとモデム装置３に対して同様のトレーニングシーケンス信号を送信する。
そして、ＦＴＴＲ装置２の制御部２２は、リンクトライ処理を開始する（Ｓ１０２）。具体的には、最初にＦＴＴＲ装置２は、モデム装置３とＦＴＴＲ装置２の距離が０ｍである場合に対応したＰＳＤマスクであるＦＴＴＲ−ＰＳＤ（ｕｓ−０）を指定する情報を含むリンクトライ信号をモデム装置３に対して送信する。リンクトライ信号は、ＦＴＴＲ装置２の制御部２２によって生成され、電話線接続端子２１２を介して電話線６に出力される。モデム装置３によって正常に受信され、ＶＤＳＬリンクが確立した場合には、モデム装置３は、リンクトライ信号に含まれるＰＳＤマスク情報により指定されるＰＳＤマスク（ここでは、ＦＴＴＲ−ＰＳＤ（ｕｓ−０））に従った応答信号をＦＴＴＲ装置２に対して送信する。ここで、モデム装置３から送信された応答信号については、比較的低い信号出力強度を有するため、ＦＴＴＲ装置２において正常に受信されるかどうかは不明である。
【００３９】
ＦＴＴＲ装置２の制御部２２は、モデム装置３から送信された応答信号を正常に受信した場合には、その応答信号の信号強度を伝送損失測定部２４によって測定する。応答信号の信号強度の測定後、直ちに、ＦＴＴＲ装置２とモデム装置３のＶＤＳＬリンクを切断する。これによって、他のｘＤＳＬシステムの伝送に対する干渉を最低限に抑制することが可能となる。次に、ＦＴＴＲ装置２の制御部２２は、モデム装置３に対して送信したリンクトライ信号に含まれるＰＳＤマスク情報により特定される信号出力強度と、モデム装置３から受信した応答信号の信号出力強度の差分を計算する等して、伝送損失を求める。制御部２２は、求めた伝送損失に関する情報を伝送損失情報記憶部２３１に格納する。
【００４０】
ＦＴＴＲ装置２の制御部２２が、ＦＴＴＲ−ＰＳＤ（ｕｓ−０）に従って送信された応答信号を正常に受信できなかった場合には、モデム装置３とＦＴＴＲ装置２の距離が６００ｍである場合に対応したＰＳＤマスクであるＦＴＴＲ−ＰＳＤ（ｕｓ−６００）を指定するリンクトライ信号をモデム装置３に対して送信する。同様に、モデム装置３は、リンクトライ信号を正常に受信した場合には、リンクトライ信号において指定されたＦＴＴＲ−ＰＳＤ（ｕｓ−６００）に従った信号出力強度を有する応答信号をＦＴＴＲ装置２に対して送信する。
【００４１】
以下、ＦＴＴＲ−ＰＳＤ（ｕｓ−０）の場合と同様にＦＴＴＲ装置２は動作する。即ち、ＦＴＴＲ装置２とモデム装置３の間でＶＤＳＬリンクが確立した場合には、伝送損失の測定を行い、当該ＶＤＳＬリンクが確立しない場合には、さらにモデム装置３とＦＴＴＲ装置２の距離が９５０ｍに対応したＰＳＤマスクであるＦＴＴＲ−ＰＳＤ（ｕｓ−９５０）に従って、リンクトライ処理を行う。さらに、ＦＴＴＲ装置２とモデム装置３の間でＶＤＳＬリンクが確立しない場合には、最大出力でリンクトライを実行するＦＴＴＲ−ＰＳＤ（Ｄｉｓａｂｌｅ）に従って、リンクトライ処理を行う。
【００４２】
ＦＴＴＲ装置２の制御部２２は、上述のようにして伝送損失を測定した後に、この伝送損失情報に基づいて、ＰＳＤマスクを選択する（Ｓ１０３）。具体的には、制御部２２は、伝送損失情報から予め定められたアルゴリズムに従ってモデム装置３とＦＴＴＲ装置２間の距離である線路長を算出する。この線路長を算出するにあたっては予め伝送損失情報と距離情報（換算線路長）とを関連づけたテーブルを用いてもよいし、具体的な計算式に基づき距離を算出するようにしてもよい。制御部２２は、算出された線路長情報を線路長情報記憶部２３２に格納する。そして、算出された線路長に応じて、図９に示される表のようなテーブルに従って、ＰＳＤマスクを選択する。例えば、距離情報ｄｒが３２０ｍであった場合には、この距離を含むＰＳＤマスクであるＦＴＴＲ−ＰＳＤ（ｕｓ−３００）が選択される。制御部２２は選択したＰＳＤマスク情報をＰＳＤマスク設定情報記憶部２３３に格納する。
【００４３】
このようにして設定されたＰＳＤマスクに基づきリンクを確立する（Ｓ１０４）。以上説明したように、本実施の形態においては、２０通りのＰＳＤマスク全てについてリンクトライ処理を行うのではなく、一部のＰＳＤマスク（ここでは、３つのＰＳＤマスク）についてリンクトライ処理を行い、そして、伝送損失を測定して、その結果に基づきＰＳＤマスクを選択することとしたので、少ない処理量及び短時間で自動的にＰＳＤマスクを選択することができる。また、このようなＰＳＤマスクの選択処理をＦＴＴＲ装置において実行したので、モデム装置としてブリッジモデムのような簡易な構成のモデムを用いることができる。
【００４４】
続いて、図４に示すフローチャートを用いて、少なくとも一度接続されたことのあるモデム装置について再度接続を試みる場合や電源をオフした後に再度電源をオンする場合に、リンクを確立するための処理の流れについて説明する。
【００４５】
モデム装置３について再接続する場合（Ｓ２０１）に、制御部３２は、過去にリンクが確立したときに用いられていたＰＳＤマスクと同じＰＳＤマスクを用いてリンクトライ処理を実行する（Ｓ２０２）。具体的に、制御部２２は、ＰＳＤマスク設定情報記憶部２３３からＰＳＤマスク設定情報に基づき、過去にリンクが確立したときに用いられていたＰＳＤマスク情報を取得し、ＰＳＤマスクを選択する。
【００４６】
ＦＴＴＲ装置２の制御部２２は、選択されたＰＳＤマスクに応じた信号出力強度により、リンクトライ処理を実行する。このリンクトライ処理によって、ＶＤＳＬリンクが確立した場合には、制御部３２は、確立したときに用いられていたＰＳＤマスク情報（例えば、その識別情報）をＰＳＤマスク設定情報記憶部２３３に格納する。
【００４７】
選択されたＰＳＤマスクに応じたリンクトライ処理をした結果、ＶＤＳＬリンクが確立できないときは、あらかじめ設定された回数だけステップＳ２０２の処理が実行される（Ｓ２０３）。例えば、前回の設定が５００ｍの線路長に対応するＦＴＴＲ−ＰＳＤ（ｕｓ−５００）であり、あらかじめ設定された回数が３回の場合には、５０ｍずつ長いＦＴＴＲ−ＰＳＤ（ｕｓ−５５０）、ＦＴＴＲ−ＰＳＤ（ｕｓ−６００）、ＦＴＴＲ−ＰＳＤ（ｕｓ−６５０）のそれぞれに対応した送信電力により、リンクが確立するまで設定を変更しながらリンクトライ処理が実行される。それぞれのＰＳＤマスクに応じたリンクトライ処理において、リンクが確立した場合には、その時点で処理は終了し、リンクが確立したときに用いられたＰＳＤマスクが設定情報として、ＰＳＤマスク設定情報記憶部２３３に格納される。
【００４８】
このようにして設定されたＰＳＤマスクに基づきリンクを確立する（Ｓ２０４）。
【００４９】
続いて、図３、図４を用いて説明したＰＳＤマスクの設定処理について、詳細な処理の流れを示すフローチャートである図５、図６を用いて説明する。
【００５０】
まず、ＦＴＴＲ装置２の制御部２２は、ＰＳＤマスクの設定が保存されているかどうか、即ち、前回、リンクを確立した状態のＰＳＤマスクの設定情報があるかどうかを、ＰＳＤマスク設定情報記憶部２３３を参照して判定する（Ｓ３０１）。制御部２２がＰＳＤマスクの設定が保存されていると判定した場合には、設定されたＰＳＤマスクによってリンクトライ処理を実行する（Ｓ３０２）。次に制御部２２は、かかるリンクトライによってリンクが確立したかどうかを判定する（Ｓ３０３）。制御部２２が、リンクが確立したと判定した場合には処理は終了する。制御部２２が、リンクが確立していないと判定した場合には、そのリンクトライ処理回数が予め定められた回数であるｍ回まで処理を実行したかを判定する（Ｓ３０４）。ｍ回まで処理を実行していない場合には、再度、同じＰＳＤマスクを用いてリンクトライ処理を行う。ｍ回まで処理を実行した場合には、ＰＳＤマスクの設定を現在のＰＳＤマスクより５０ｍ長い距離パラメータのＰＳＤマスクに設定し、即ち、ＰＳＤマスク設定情報記憶部２３３にこのＰＳＤマスクに関する情報を格納し、再度、ステップＳ３０１を実行する。
【００５１】
次に、ステップＳ３０１において、ＰＳＤマスクの設定が保存されていないと判定された場合について、図６に示すフローチャートを用いて説明する。
【００５２】
まず、制御部３２は、ＰＳＤマスクとして、ＦＴＴＲ−ＰＳＤ（ｕｓ−０）を設定し、ポートオープン処理を行う（Ｓ４０１）。ここで、ポートオープン処理とは、ＦＴＴＲ装置２の特定ポートをリンクトライ可能な状態にすることをいう。そして、ＦＴＴＲ−ＰＳＤ（ｕｓ−０）に応じた信号出力強度でリンクトライ処理を実行する（Ｓ４０２）。次に制御部２２は、リンクトライ処理の結果、リンクが確立したかどうかを判定する（Ｓ４０３）。
【００５３】
リンクが確立していない場合に、制御部２２は、そのリンクトライ処理が予め定められた回数ｍ回行われたかを判定する（Ｓ４０４）。リンクトライ処理がｍ回行われていない場合には、再度、ステップＳ４０２に戻り、リンクトライ処理を実行する。リンクトライ処理がｍ回行われている場合に、制御部２２は、ＦＴＴＲ−ＰＳＤ（ｕｓ−６００）の設定が行われているかを判定する（Ｓ４０５）。この段階においては、ＦＴＴＲ−ＰＳＤ（ｕｓ−０）が設定されているため、ステップＳ４０６に処理を移行し、ポートストップ処理後に、ＦＴＴＲ−ＰＳＤ（ｕｓ−６００）を設定した上で、リンクトライ処理（Ｓ４０２）を実行する。ここで、ポートストップ処理とは、ＦＴＴＲ装置２の特定ポートをリンクトライ不可能な状態にすることをいう。
【００５４】
ステップＳ４０５において、ＦＴＴＲ−ＰＳＤ（ｕｓ−６００）の設定が行われていると判定した場合に、制御部２２は、さらに、ＦＴＴＲ−ＰＳＤ（ｕｓ−９５０）の設定が行われているかを判定する（Ｓ４０７）。この段階においては、ＦＴＴＲ−ＰＳＤ（ｕｓ−６００）が設定されているため、ステップＳ４０８に処理を移行し、ポートストップ処理後に、ＦＴＴＲ−ＰＳＤ（ｕｓ−９５０）を設定した上で、リンクトライ処理（Ｓ４０２）を実行する。
【００５５】
ステップＳ４０７において、ＦＴＴＲ−ＰＳＤ（ｕｓ−９５０）の設定が行われていると判定した場合に、制御部２２は、さらに、ＦＴＴＲ−ＰＳＤ（Ｄｉｓａｂｌｅ）の設定が行われているかを判定する（Ｓ４０９）。この段階においては、ＦＴＴＲ−ＰＳＤ（ｕｓ−９５０）が設定されているため、ステップＳ４１０に処理を移行し、ポートストップ処理後に、最大出力でリンクトライを実行するＦＴＴＲ−ＰＳＤ（Ｄｉｓａｂｌｅ）を設定した上で、リンクトライ処理（Ｓ４０２）を実行する。
【００５６】
ステップＳ４０９において、ＦＴＴＲ−ＰＳＤ（ｕｓ−Ｄｉｓａｂｌｅ）の設定が行われていると判定した場合に、制御部２２は、ステップＳ４０１に移行する。
【００５７】
他方、ステップＳ４０３でリンクが確立した場合には、リンクトライ処理において伝送損失より算出された線路長情報を、線路長情報記憶部２３２から読み出す（Ｓ４１１）。制御部２２は、当該線路長情報に基づき、ＰＳＤマスクを選択し、ＰＳＤマスク情報記憶部２３３に格納することによって設定する（Ｓ４１２）。その後、制御部２２は、ポートストップ処理を実行する（Ｓ４１３）。なお、このポートストップ処理は、ステップＳ４１１よりも前に実行することにより、他のｘＤＳＬシステムの伝送に対する干渉を最低限に抑制することが可能となる。さらに、制御部２２は、設定されたＰＳＤマスクを用いてポートオープン処理を実行し（Ｓ４１４）、リンクアップする（Ｓ４１５）。
【００５８】
さらに、本発明は上述した実施の形態のみに限定されるものではなく、既に述べた本発明の要旨を逸脱しない範囲において種々の変更が可能であることは勿論である。
【００５９】
例えば、上述の例では、リンクトライ処理において用いられるＰＳＤマスクは、端末４を用いた通信の中継処理を行う場合に用いられるＰＳＤマスクのうちから選択されたものであるが、これに限らず、当該中継処理において用いられるＰＳＤマスク以外に設定されたＰＳＤマスクであってもよく、さらにリンクトライ処理時には単に信号出力強度が設定されるようにしてもよい。
【００６０】
上述の例では、ＦＴＴＲ装置２にＰＳＤ選択機能を設けたが、図７に示されるように、モデム装置３に設けるようにしてもよい。具体的には、モデム装置３は、モデム３１、制御部３２、記憶部３３、伝送損失測定部３４を備えている。制御部３２は、複数種類のＰＳＤマスクに従ったリンクトライ処理を実行し、そして、リンクが確立した際に、伝送損失測定部３４によって伝送損失を測定し、その測定された伝送損失に応じてＰＳＤマスクを選択する。
【００６１】
また、リンクトライ処理の前にＦＴＴＲ装置２とモデム装置３との間で送受信するトレーニングシーケンス信号の伝送損失を測定して、その後のリンクトライ処理における候補となるＰＳＤマスク（即ち、信号出力強度）を選択するようにしてもよい。上述の例では、０ｍ、６００ｍ、９５０ｍのＰＳＤマスクによってリンクトライ処理を行ったが、例えば、トレーニングシーケンス信号の伝送損失の測定結果が５００ｍ程度の距離を示す場合には、４００ｍ、５００ｍ、６００ｍのＰＳＤマスクによってリンクトライ処理を実行する。これにより、リンク確立までの処理量を低減することができ、また、精度良く伝送損失を測定することができる。
【００６２】
また、ＤＨＣＰ（Dynamic Host Configuration Protocol）サーバがＩＰアドレスを配布するときに、リクエストがきたスイッチポートの番号を基準に決まったＩＰアドレスを配布するようにしてもよい。従来は、ＤＨＣＰサーバからユーザ端末に固定のＩＰアドレスを配布する際に、ユーザ端末のＭＡＣアドレスに基づいてＩＰアドレスを配布していたが、このようにスイッチポートの番号を基準にＩＰアドレスを配布することによってユーザ端末の変更の度に機器の設定を変更する手間を省くことができる。さらに、ユーザ端末の種類に応じてＩＰアドレスの配布を変更するようにしてもよい。
【図面の簡単な説明】
【００６３】
【図１】本発明の実施の形態にかかるＦＴＴＲ装置を含むＦＴＴＲシステムの全体構成図である。
【図２】本発明の実施の形態にかかるＦＴＴＲ装置の構成を示すブロック図である。
【図３】本発明の実施の形態にかかるＦＴＴＲ装置の処理を示すフローチャートである。
【図４】本発明の実施の形態にかかるＦＴＴＲ装置の処理を示すフローチャートである。
【図５】本発明の実施の形態にかかるＦＴＴＲ装置の処理を示すフローチャートである。
【図６】本発明の実施の形態にかかるＦＴＴＲ装置の処理を示すフローチャートである。
【図７】本発明の実施の形態にかかるモデム装置の構成を示すブロック図である。
【図８】下り側のＰＳＤマスクと線路長ｒを関係を示す表である。
【図９】上り側のＰＳＤマスクと線路長ｄｒを関係を示す表である。
【符号の説明】
【００６４】
１  収容局
２  ＦＴＴＲ装置
３  モデム装置
４  端末
５  光ファイバ
６  電話線
７  伝送路
２１  信号処理部
２２  制御部
２３  記憶部
２４  伝送損失測定部
【図１】
2009171451.tif 000003
【図２】
2009171451.tif 000004
【図３】
2009171451.tif 000005
【図４】
2009171451.tif 000006
【図５】
2009171451.tif 000007
【図６】
2009171451.tif 000008
【図７】
2009171451.tif 000009
【図８】
2009171451.tif 000010
【図９】
2009171451.tif 000011